(57)【要約】【課題】打たせ湯効果を高めることができる浴室ユニットを提供することである。【解決手段】浴室ユニット４の洗い場２０の天井８に開口部８ａを設け、天井裏３に湯水用の導管１３を設置し、前記導管１３の湯水吐出口１６を前記開口部８ａに臨ませ、洗い場２０側の天井高さＨ１を、浴槽９側の天井高さＨ２よりも高くし、浴槽９側の天井裏の空間２を洗い場２０側の天井裏の空間３よりも広く確保する。湯水吐出口１６を洗い場２０の天井８の裏側位置に設ける。【選択図】図１
2012040267.tif 000002
【特許請求の範囲】
【請求項１】
浴室ユニットの洗い場の天井に開口部を設け、天井裏に湯水用の導管を設置し、前記導管の湯水吐出口を前記開口部に臨ませ、
前記湯水吐出口を天井裏側位置に設けたことを特徴とする浴室ユニット。
【請求項２】
浴室ユニットの洗い場の天井に開口部を設け、天井裏に湯水用の導管を設置し、前記導管の湯水吐出口を前記開口部に臨ませ、
洗い場側の天井高さを浴槽側の天井高さよりも高くし、浴槽側の天井裏の空間を洗い場側の天井裏の空間よりも広く確保したことを特徴とする浴室ユニット。
【発明の詳細な説明】
【技術分野】
【０００１】
本発明は、打たせ湯用の湯水吐出設備を備えた浴室ユニットに関するものである。
【背景技術】
【０００２】
昨今の健康ブームが呼び水となり、スパ（広辞苑第六版によると、鉱泉、温泉、又はそれを利用した保養施設を意味する）に限らず、自宅の浴室において打たせ湯を楽しみたいという市場の要求があり、特許文献１に開示されているようなシャワーユニットが提案されている。
【先行技術文献】
【特許文献】
【０００３】
【特許文献１】実開平５−４２５２４号公報
【発明の概要】
【発明が解決しようとする課題】
【０００４】
特許文献１に開示されているような設備を導入することにより、自宅の浴室においても打たせ湯を楽しむことができる。特許文献１のシャワーユニットは、浴室の天井に打たせ湯ノズルを突出させ、この打たせ湯ノズルを介して湯水を吐出・落下させ、直下の人に湯水が当たるように構成されている。この打たせ湯ノズルの設置高さを高くするほど、高い打たせ湯効果が得られる。そのため、特許文献１の発明（考案）では、打たせ湯ノズルが天井に設置されている。
【０００５】
図５に示すように浴室ユニット５０は、所定の大きさの浴室用の空間６０内に設置される。その際、施工の都合上、どうしても余裕空間を確保しておかなければ、浴室用空間６０内で浴室ユニット５０を組み立てることができない。そのため、特許文献１の発明（考案）では特に開示はないが、図５に示すように、天井裏の空間の高さｈ１を確保して浴室ユニット５０を組立て可能とした結果、浴室ユニット５０の天井高さがｈ２となっている。すなわち、特許文献１に開示の技術では、高さｈ２よりも高い位置に打たせ湯ノズル５１を設置することができず、天井５２から突出する打たせ湯ノズル５１の高さｈ３は、天井５２の高さｈ２よりも若干低くなっている。
【０００６】
一方、市場では、打たせ湯効果をより高めたいという要求がある。しかし、天井より高い位置にノズルを設置することはできないため、従来の構成では市場の要求に十分に応えることはできなかった。
【０００７】
そこで本発明は、上記事情に鑑み、打たせ湯効果をより高めることができる浴室ユニットを提供することを目的としている。
【課題を解決するための手段】
【０００８】
上記課題を解決するための請求項１の発明は、浴室ユニットの洗い場の天井に開口部を設け、天井裏に湯水用の導管を設置し、前記導管の湯水吐出口を前記開口部に臨ませ、前記湯水吐出口を天井裏側位置に設けたことを特徴とする浴室ユニットである。
【０００９】
請求項１の発明では、浴室ユニットの洗い場の天井に開口部を設け、天井裏に湯水用の導管を設置し、前記導管の湯水吐出口を前記開口部に臨ませ、前記湯水吐出口を天井裏側位置に設けたので、湯水吐出口を従来よりも高い位置に配置することができ、打たせ湯効果を高めることができる。すなわち、天井の下面よりも高い位置に湯水吐出口を配置できるので、本発明の浴室ユニットは、従来のように天井面より下方に湯水吐出口を設けるよりも高い打たせ湯効果を得ることができる。
【００１０】
なお、天井に設けられた点検口を、開口部として利用することもできる。その際、点検口を塞ぐ蓋に、湯水吐出口を臨ませるに必要十分な大きさの開口を設け、さらに浴室内から天井裏の空間に湯水が飛散しないように、点検口を塞ぐ蓋に湯水吐出口の周囲を止水する構成を備えるのが好ましい。湯水吐出口を臨ませる開口部として点検口を利用すると、既設の浴室ユニットに対して、本発明の構成を設置するのが容易（省施工化、後付取付が容易）になり、さらに施工のコストを削減することができる。
【００１１】
請求項２の発明は、浴室ユニットの洗い場の天井に開口部を設け、天井裏に湯水用の導管を設置し、前記導管の湯水吐出口を前記開口部に臨ませ、洗い場側の天井高さを浴槽側の天井高さよりも高くし、浴槽側の天井裏の空間を洗い場側の天井裏の空間よりも広く確保したことを特徴とする浴室ユニットである。
【００１２】
請求項２の発明では、洗い場側の天井高さを浴槽側の天井高さよりも高くし、浴槽側の天井裏の空間を洗い場側の天井裏の空間よりも広く確保したので、湯水吐出口を設置した天井の高さを、従来よりも高くすることができる。その結果、従来よりも打たせ湯効果を高めることができる。
【発明の効果】
【００１３】
本発明の浴室ユニットは、従来よりも高い位置に湯水吐出口を設置することができるので、打たせ湯効果を高めることができる。
【図面の簡単な説明】
【００１４】
【図１】本発明の浴室ユニットの全体図である。
【図２】（ａ）は、浴室ユニットの天井に設置した湯水吐出口の正面図であり、（ｂ）は、（ａ）とは別の湯水吐出口の正面図である。
【図３】本発明の湯水吐出装置の湯水吐出方向の切替弁の概念図であり、（ａ）は通常のカランから湯水を吐出する場合の切替弁を示しており、（ｂ）は天井に設置した湯水吐出口から湯水を吐出する場合の切替弁を示している。
【図４】本発明の浴室ユニットにおける湯水の吐出方向を切り替える切替弁の正面図であり、（ａ）は天井に設置した湯水吐出口から湯水を吐出する場合の切替弁を示しており、（ｂ）は、カランから湯水を吐出する場合の切替弁を示している。
【図５】従来の浴室ユニットの全体図である。
【発明を実施するための形態】
【００１５】
以下、図面を参照しながら本発明の実施例を説明する。
【００１６】
浴室ユニット４は複数のパーツが適宜接合され、図１に示すように浴室ユニット設置空間１内で組み立てられる。浴室ユニット４は、四方を囲む側壁（側壁６を含む。）と、床を構成する底壁５と、天井を構成する上壁７，８とを有している。上壁７は後述する浴槽９の上方の天井であり、上壁８は洗い場２０の上方の天井である。図１に示すように、上壁８の高さＨ１は、上壁７の高さＨ２よりも高い。上壁７と上壁８は、傾斜壁１９で接続されている。これらの壁によって浴室１０が仕切られている。図示していないが、浴室１０の扉は、例えば紙面の手前側の図示しない側壁に設けられる。
【００１７】
浴室１０内には、浴槽９が配置されている。図１では、浴槽９の固定設備や配管設備の描写は省略している。また、側壁６（紙面の向こう側の側壁）には、湯水供給配管１１（図４（ａ））が設けられている。
【００１８】
浴室１０には、浴槽９に隣接して洗い場２０が設けられている。
【００１９】
洗い場２０の領域の側壁６には、切替弁１２を備えた切替ユニット１５が設置されている。図４（ａ）及び図４（ｂ）に示すように、切替ユニット１５には、打たせ湯用配管１３や、シャワー２１及びカラン２２が接続されている。また、切替ユニット１５には、側壁６を貫通した湯水供給配管１１が接続されている。さらに切替ユニット１５には、温度調整用ノブ１８ａ（温度調整用ハンドル）と湯水用ノブ１８ｂ（湯水用ハンドル）とが設けられている。そして、吐出させる湯水の温度を温度調整用ノブ１８ａを回転させることによって調整し、さらに湯水の吐出量（流量）を湯水用ノブ１８ｂで調整することができる。これらによって、所望する温度の湯水を、シャワー２１，カラン２２，打たせ湯用配管１３（湯水吐出口１６）から流出させることができる。
【００２０】
切替ユニット１５内では、湯水供給配管１１が切替弁１２を介して打たせ湯用配管１３と、シャワー２１及びカラン２２と接続されている。図４（ａ）及び図４（ｂ）に示すように、切替ユニット１５には打たせ湯側指標３４とカラン・シャワー側指標３５とが設けられており、切替弁１２には指針３６ａを備えた操作部３６が設けられている。そして、指針３６ａを打たせ湯側指標３４とカラン・シャワー側指標３５のいずれかに合わせることによって、図３（ａ）及び図３（ｂ）に示すように、切替弁１２は、湯水供給配管１１から供給された湯水の通路を、打たせ湯用配管１３側に設定したり、シャワー２１及びカラン２２側に設定する。
【００２１】
すなわち、切替弁１２は手動で切り替えられ、図３（ａ）に示すように湯水供給配管１１と打たせ湯用配管１３とを連通させたり、図３（ｂ）に示すように湯水供給配管１１とシャワー２１又はカラン２２とを連通させる。シャワー２１とカラン２２の切替も、切替弁１２と同様の切替弁によって実施されるが、説明は省略する。
【００２２】
図示していないが、打たせ湯用配管１３は、複数の配管が水密を保ち接続されて１つの湯水通路を形成している。また打たせ湯用配管１３は、浴室１０内の他の部材（例えば浴槽等）のレイアウトを考慮して、できるだけ入浴者の邪魔にならないように配置されている。打たせ湯用配管１３の途中の部分は、支持部材１４ａ〜１４ｄによって支持されている。また、天井裏空間２，３においても、打たせ湯用配管１３は図示しない支持部材によって揺動しないように支持されている。
【００２３】
浴槽９の上方の上壁７には孔７ａが設けてある。打たせ湯用配管１３は、孔７ａを介して上壁７を貫通し、浴槽側天井裏空間２に至っている。浴槽側天井裏空間２の高さ寸法はＨ４であり、浴槽側天井裏空間２は、打たせ湯用配管１３の敷設作業を十分に実施できる広さが確保されている。
【００２４】
打たせ湯用配管１３は、浴槽側天井裏空間２側から洗い場側天井裏空間３側へ傾斜壁１９に沿って敷設されている。また、打たせ湯用配管１３の端部には湯水吐出口１６が設けられている。打たせ湯用配管１３の湯水吐出口１６側の端部には、ねじ部１７が形成されている。ねじ部１７は下記構造によりアダプタ２３を介して打たせ湯用配管１３の湯水吐出口１６を上壁８の開口８ａに固定する。
【００２５】
即ち、上壁８には開口８ａが形成されている。開口８ａは湯水吐出口１６を固定する開口である。開口８ａには、アダプタ２３が装着されている。アダプタ２３は、強化プラスチック等の剛性を有する素材で形成され円筒形状を呈しており、円筒側壁部２４の後端（上端）に内向きフランジ部２６が設けてあり、円筒側壁部２４の先端（下端）付近には外向きフランジ部２５が設けてある。内向きフランジ部２６の中心には孔２７が形成されている。さらに、円筒側壁部２４の、外向きフランジ部２５よりも先端側は、円筒状の先端部２８を構成している。先端部２８の外周面にはねじ部２８ａが設けられている。
【００２６】
開口８ａにアダプタ２３の先端部２８を挿通すると、上壁８の上面２９（天井の裏面）に外向きフランジ部２５の下面３０が当接し、アダプタ２３は上壁８に載置される。その際、先端部２８が上壁８の下面３０より下方に突出する。そして、先端部２８のねじ部２８ａにナット部材３７が螺合し、ナット３７の上面が上壁８の下面３０に当接する。その結果、アダプタ２３は上壁８の開口８ａに固定される。逆にナット３７を緩めれば、開口８ａからアダプタ２３を容易に取り外すことができる。
【００２７】
また、アダプタ２３の孔２７には打たせ湯用配管１３の先端部分が挿通されている。打たせ湯用配管１３の先端部分に形成されたねじ部１７には、２つのナット３１，３２が螺合しており、一方のナット３２は、アダプタ２３の内向きフランジ部２６よりも上側に配置されており、他方のナット３１は内向きフランジ部２６よりも下側に配置されている。そして、これら２つのナット３１，３２によって内向きフランジ部２６を挟持し、アダプタ２３を介して打たせ湯用配管１３の湯水吐出口１６を上壁８の開口８ａに固定する。
【００２８】
図１に示すように、湯水吐出口１６の設置高さ（浴室１０の底壁５からの高さ）はＨ５である。この湯水吐出口１６の設置高さＨ５は、図２（ａ）に示す２つのナット３１，３２によって微調整することができる。すなわち、上側のナット３２を許される限りねじ部１７の先端側（湯水吐出口１６側）に移動させると、湯水吐出口１６は最も高い位置に配置される。そして、下側からナット３１を締め付けると、アダプタ２３の内向きフランジ部２６がナット３１，３２に挟持され、その結果、湯水吐出口１６がアダプタ２３に固定される。
【００２９】
湯水吐出口１６は、アダプタ２３に固定されることによって上壁８の下面３０（天井面）よりも上方に配置される。すなわち湯水吐出口１６は、上壁８の下面３０よりも高さＨ７（高さＨ５と高さＨ１の差）だけ上方に配置される。
【００３０】
図２（ａ）に示すように、洗い場側天井裏空間３の高さ寸法はＨ３であり、浴槽側天井裏空間２の高さＨ４と比較してかなり低いが、アダプタ２３や湯水吐出口１６を開口８ａに設置することができる高さは確保されている。打たせ湯用配管１３の設置作業者は、上壁７の図示しない天井扉を介して浴槽側天井裏空間２に入ることができ、さらに手を伸ばすと上壁８の開口８ａに手が届き、湯水吐出配管１３を適切に配置し、固定することができる。
【００３１】
ここで、洗い場側天井裏空間３の高さＨ３が、浴槽側天井裏空間２の高さＨ４と比較してかなり低いが、浴室１０内においては、洗い場２０側の天井である上壁８の高さＨ１は、浴槽９側の天井である上壁７の高さＨ２よりも高くなる。その結果、湯水吐出口１６が設置される高さが従来よりも高くなるので、打たせ湯効果が向上する。
【００３２】
次に、浴室ユニット４の使用の仕方を説明する。
【００３３】
入浴者は、体を洗う場合には、切替弁１２を図３（ｂ）に示す位置に切替え、湯水供給配管１１から供給される湯水を、図４（ｂ）に示すようにカラン２２又はシャワー２１から吐出できるようにする。また、入浴者は、予め湯水の温度を温度調整用ノブ１８ａで調整しておき、必要に応じて湯水用ノブ１８ｂを操作し、カラン２２又はシャワー２１から所望する量の湯水を吐出させる。
【００３４】
また、入浴者は、打たせ湯を楽しみたい場合には、図３（ａ）に示す位置に切替弁１２を切替え、湯水供給配管１１と打たせ湯用配管１３とを連通させる。また、予め吐出させる湯水の温度を温度調整用ノブ１８ａを操作して調整しておき、湯水用ノブ１８ｂを操作することにより、湯水供給配管１１から切替ユニット１５を経て打たせ湯用配管１３の湯水吐出口１６から湯水を吐出させる。入浴者は、湯水吐出口１６から吐出され落下する湯水に、体の所望する部位（例えば肩や背中等）を位置合わせし、打たせ湯を楽しむ。
【００３５】
ここで、湯水吐出口１６を固定するアダプタは、図２（ａ）の形態に限らず、例えば図２（ｂ）に示すような形態を採用することもできる。図２（ｂ）に示す形態では、アダプタ３３は、アダプタ２３の円筒側壁２４の代わりに円錐壁３８が設けられている。円錐壁３８の下端には外向きフランジ部２５が設けてあり、上端には内向きフランジ部２６が設けられている。アダプタ３３の上壁８への固定は、アダプタ２３と同様にナット部材３７によって行われる。また、アダプタ３３への湯水吐出口１６の固定も、アダプタ２３と同様にナット３１，３２によって行われる。
【００３６】
図２（ｂ）に示すアダプタ３３を採用する場合においても、湯水吐出口１６の設置高さＨ６は、上壁８の下面３０の高さＨ１よりも高さＨ８だけ高く、その分だけ打たせ湯効果が向上する。
【００３７】
なお、天井に設けられた点検口を、開口８ａとして利用することもできる。すなわち、点検口を塞ぐ蓋の代わりに、アダプタ２３又はアダプタ３３を装着する。湯水吐出口を臨ませる開口として点検口を利用すると、既設の浴室ユニットに対して、本発明の構成を設置するのが容易（省施工化、後付取付が容易）になり、さらに天井（上壁）に新たに開口を設ける必要がなく、施工のコストを削減することができる。
【００３８】
湯水吐出口を、ワイド散水形式とすることもできる。ワイド散水形式にすると、湯水吐出口の高さを高くするほど散水範囲が広がり、散水効果が向上する。
【００３９】
さらに、実施の形態では、カラン２２，シャワー２１と打たせ湯用配管１３とが共通の湯水供給配管１１から切替ユニット１５を介して湯水を利用できる場合を説明したが、カラン２２，シャワー２３と、打たせ湯用配管１３（湯水吐出口１６）に、別々に湯水供給配管を接続してもよい。
【符号の説明】
【００４０】
１    浴室ユニット設置空間
２    浴槽側天井裏空間
３    洗い場側天井裏空間
４    浴室ユニット
６    浴室ユニットの側壁
８    洗い場側の上壁
１０  浴室
１１  湯水供給配管
１２  切替弁
１３  打たせ湯用配管（導管）
１５  切替ユニット
１６  湯水吐出口
２０  洗い場
２３  アダプタ
【図１】
2012040267.tif 000003
【図２】
2012040267.tif 000004
【図３】
2012040267.tif 000005
【図４】
2012040267.tif 000006
【図５】
2012040267.tif 000007